(57)【要約】【課題】組立が容易で、熱膨張や熱収縮に影響され難く、長寿命と効率向上が可能なポンプを提供することを目的とする。【解決手段】本発明のポンプは、水通路の機能を持たせた羽根車１１と、羽根車１１を軸方向に押すための付勢する付勢手段としてばね１と、押された羽根車１１とポンプ本体２１が接触しないように羽根車１１の位置を制限する羽根車１１設けられたスラスト受け２とポンプ本体２１に設けられたスラスト受け３を具備したことを特徴とする。【選択図】  図１
2007262997.tif 000002
【特許請求の範囲】
【請求項１】
遠心ポンプにおいて、水通路の機能を持たせた羽根車と、羽根車が軸方向に移動してケーシングと羽根車が接触しないように制限するスラスト受けと、羽根車を軸方向に付勢する付勢手段とを具備したことを特徴とするポンプ。
【請求項２】
遠心ポンプにおいて、羽根車とモータ回転子を一体として形成し水通路の機能を持たせた回転体と、回転体が軸方向に移動してケーシングと回転体が接触しないように制限するスラスト受けと、回転体を軸方向に付勢する付勢手段とを具備したことを特徴とするポンプ。
【請求項３】
請求項１および２記載のポンプにおいて、スラスト受けの構造が潤滑溝を設けていない又は極浅い潤滑溝を設けた構造を持つことを特徴とするポンプ。
【発明の詳細な説明】
【技術分野】
【０００１】
本発明は、比較的小型のポンプに関するものである。
【背景技術】
【０００２】
一般的に遠心ポンプは、ケーシングに設置された水通路の内側で、羽根車を回転させて液体を揚水することは周知の事実である。
【０００３】
遠心ポンプの羽根車は、ケーシング内で回転しているために、ケーシングと接触しないように保つ必要があり、軸方向に動かない回転する軸に固定するために組立時に羽根車の位置の微調整を行なったり、回転体の位置を制限するために、スラスト受けを回転体の両側に設け、回転体の長さに合わせてスラスト受け間の距離を調整するか、スラスト受け間の距離に合わせて回転体の長さを調整する等の方法で回転体の動きを制限している。
【０００４】
羽根車の位置の微調整や隙間の調整には隙間が狭ければ狭いほど組立が困難となるため、羽根車とケーシングの間や回転体とケーシング間にある程度の隙間が必要となる。
【０００５】
また、隙間が狭いと羽根車やケーシングの熱膨張や熱収縮の際に隙間が広がることによる性能不良、または、隙間がなくなることによる回転不能に陥るため、ある程度の隙間が必要となる。
【０００６】
比較的大流量のポンプでは、羽根車とケーシング間の隙間が大きくても、この隙間から漏れる液量は全体量からすると無視できる程度のものであるが、小型のポンプや高揚程のポンプでは隙間が大きいと、隙間から漏れる液量が多くなり、効率向上の妨げになっている。
【０００７】
隙間を調整する工程を省略するために、羽根車などの回転体を軸方向に自由に動く状態にして、羽根車などの回転体がケーシングに接触することを容認する方法を行なうこともある。
【０００８】
前記の方法の場合は、羽根車などの回転体にバランスホールと呼ばれる穴を開け羽根車前後の圧力を同じ圧力にし、ケーシングと羽根車の運転中の接触防止を試みることや、羽根車やケーシングの接触部分に溝等の加工を行い、羽根車の前後に動圧を働かせ羽根車とケーシングのポンプ運転中の接触防止を試みる方法がある。
【特許文献１】特開２００３−１３９０８６号公報
【０００９】
このような方法では、油やエチレングリコール等の粘性の高い液体を送液する場合や常時運転している場合には液の潤滑性が十分作用し接触の問題はあまり起こらないが、起動時や停止時、水等の粘性の低い液体を送液する場合にはケーシングと羽根車の接触を防止することが出来ず、羽根車が接触し、寿命が短くなる。
【００１０】
上述のポンプの一実施形態を図５と図６および図７を参照して説明する。
【００１１】
図５は、渦流キャンドモータポンプの断面図を示し、図７は、その回転体の断面図を示し、図６は、羽根車部周辺の断面図を示す。
【００１２】
図５に示されるように、ポンプ本体２１とキャン２２で軸３１を固定し、軸３１の周囲をモータ回転子１２に固定された軸受３３と、モータ回転子１２にピン４１で連結された羽根車１１に固定された軸受３２が回転する。
【００１３】
また、図６に示されるように、水通路はポンプ本体２１と仕切板２３と羽根車１１で形成される空間Ｚであり、ポンプ本体２１に設けられたスラスト受け２と羽根車１１に固定された軸受３２が摺動しても羽根車１１とポンプ本体２１羽根車１１が本体２１に接触せずに回転するための隙間Ｄと、羽根車が仕切板２３に接触せずに回転するための隙間Ｅが必要である。
【００１４】
隙間Ｄはポンプ本体２１の段差寸法と羽根車１１の段差寸法を管理すれば比較的簡単に確保できる。しかしながら、回転体が回転するための隙間は、組立時に、本体２１に設けられたスラスト受け２とキャン２２に設けられたスラスト受け４の間の距離に合わせて図７で示される羽根車１１と軸受３２で形成される回転体の全長Ｆを調整し、さらに羽根車１１に固定された軸受３２からモータ回転子１２に固定された軸受３３までの距離Ｇを調整して確保される。
【００１５】
回転体が回転するための隙間（本体２１に設けられたスラスト受け２とキャン２２に設けられたスラスト受け４の間の距離と距離Ｇとの差による隙間）が、羽根車が仕切板２３に接触せずに回転するための隙間Ｅよりも広くなると羽根車１１が仕切板２３に接触する恐れがある。
【００１６】
ポンプの効率向上のためには隙間Ｅを狭くすることが必要であるが、隙間Ｅを狭くすると距離Ｇの調整が難しくなり、また、ポンプ本体２１に設けられたスラスト受け２とキャン２２に設けられたスラスト受け４の間の距離の熱膨張および熱収縮による変化が、羽根車１１に固定された軸受３２からモータ回転子１２に固定された軸受３３までの距離の熱膨張および熱収縮による変化と異なる場合、回転するための隙間がなくなることによる回転不能や、隙間が大きくなりすぎて羽根車１１がポンプ本体２１と仕切板２３に接触することになる。
【発明の開示】
【発明が解決しようとする課題】
【００１７】
このように、羽根車とケーシングの接触を防止するためには、羽根車等の回転体の動きをスラスト受けで制限するために、スラスト受け間の距離の調整や回転体の全長を調整する必要がある。
【００１８】
羽根車とケーシング間の隙間の調整や羽根車の微調整には、羽根車とケーシングの間にある程度の隙間が必要であり、隙間が狭いほど組立が困難になる。
【００１９】
隙間が狭いほど、温度変化による熱膨張や熱収縮により隙間がなくなることによる回転不能や、隙間が広くなることによる羽根車などの回転体とケーシングの接触が起こる。
【００２０】
大流量のポンプであれば、多少の隙間から漏れる内部漏れは許容できる範囲であるが、小型のポンプや高揚程のポンプでは隙間から漏れる内部漏れは効率に大きく影響する。
【００２１】
本発明は、このような点に鑑みなされたもので、羽根車とケーシングの接触を防止できるため長寿命で、また、組立が容易で、熱膨張や熱収縮に影響を受け難く、且つ、スラスト受けの摺動を積極的に活用することで効率が良好なポンプを提供することを目的とするものである。
【課題を解決するための手段】
【００２２】
本発明は、目的を達成するために、以下の解決手段を採用する。
【００２３】
請求項１記載の発明は、水通路の機能を持たせた羽根車と、羽根車を軸方向に付勢する付勢手段と、押された羽根車とケーシングが接触しないように羽根車の位置を制限するスラスト受けを具備したポンプであり、この付勢力で常に羽根車はケーシングに押し付けられ、ケーシングに設けられたスラスト受けと羽根車に設けられたスラスト受けが摺動することにより、運転中も起動および停止時もケーシングと回転体の接触を防止することができる。
【００２４】
請求項２記載の発明は、羽根車とモータ回転子を一体として形成し、この回転体に水通路の機能を持たせ、回転体を軸方向に付勢する付勢手段と、押された回転体とケーシングが接触しないように回転体の位置を制限するスラスト受けを具備したポンプであり、この付勢力で常に回転体はスラスト受けに押し付けられ、運転中も起動および停止時もケーシングと回転体の接触を防止することができる。
【００２５】
請求項３記載の発明は、請求項１および２で使用しているスラスト受けの構造を潤滑溝を設けていない又は極浅い潤滑溝を設けているスラスト受けの構造とすることで、スラスト受け部からの内部漏れを抑制し、効率の向上が可能となる。
【発明の効果】
【００２６】
請求項１および２記載の発明によれば、羽根車やモータ回転子等の回転体は、推付勢手段による付勢力によりケーシング側に押し付けられ、押し付けられた回転体は、ケーシングと接触しないように回転体の位置を制限するスラスト受けと摺動するためにケーシングと回転体は接触する事がなく長寿命が達成できる。
【００２７】
また、水通路の機能が羽根車または回転体に設けてあるため部品点数の低減やポンプの小型化が可能である。
【００２８】
また、羽根車または回転体は常にばねの力でケーシング側に押し付けられ、押し付けられた回転体は、スラスト受けによりケーシングと接触しないように回転体の位置を制限されるため、スラスト受け間の距離の調整や回転体の長さ調整を行なう必要がなくなり、組立が容易となる。
【００２９】
また、前記の理由により、熱膨張および熱収縮の影響による性能低下および回転不能の恐れが減少し、温度に影響されない安定的な運転が可能となる。
【００３０】
請求項３記載の発明によれば、請求項１および２記載の発明で使用しているスラスト受けの構造を潤滑溝を設けていない又は極浅い潤滑溝を設けているスラスト受けの構造とすることで、摺動面からの漏れ量は減少し、効率の向上が達成できる。
【発明を実施するための最良の形態】
【００３１】
以下、本発明を図１と図４に示された実施の形態１、図２に示された他の実施の形態２、図３に示された他の実施形態３を参照して詳細に説明する。
【００３２】
図１は、本発明のポンプを具現化した渦流キャンドモータポンプの側面の断面図を示し、図４は、その羽根車部周辺の側面の断面図を示す。
【００３３】
ポンプ本体２１とキャン２２で軸３１を固定し、軸３１の周囲をモータ回転子１２に固定された軸受３３と、モータ回転子１２にピン４１で連結された水通路の機能を持たせた羽根車１１に固定された軸受３２が回転し、羽根車１１とモータ回転子１２の間に推力としてばね１が圧縮された状態で設置され羽根車１１とモータ回転子１２を押し分け、羽根車１１に設けられたスラスト受け３とポンプ本体に設けられたスラスト受け２とが摺動し、キャン２２に設けられたスラスト受け４とモータ回転子１２に固定された軸受３３とが摺動する。
【００３４】
図４に示されるように、水通路Ｙは、ポンプ本体２１と水通路の機能を持たせた羽根車１１の２点の部品で形成される。
【００３５】
羽根車１１に設けられたスラスト受け３とポンプ本体に設けられたスラスト受け２とが摺動しても羽根車１１とポンプ本体２１の最接近部Ａは、接触しないようにポンプ本体２１の段差寸法と羽根車１１の段差寸法を管理し、また、羽根車１１の外周部Ｂは、最適な隙間に管理し、Ａ部及びＢ部でマウスリングの機能を持たせ、内部漏れを最小限に押える。
【００３６】
ポンプ本体２１の段差寸法と羽根車１１の段差寸法は、ポンプ本体２１と羽根車１１の製作時に管理できるため、組立時に調整する必要がない。
【００３７】
次に、図１に示された実施の形態１の作用を説明する。
【００３８】
ばね１の作用により羽根車１１とモータ回転子１２を押し分けるため、ポンプ本体２１に設けられたスラスト受け２とキャン２２に設けられたスラスト受け４の間の距離が大きくても小さくてもばね１が伸縮し、羽根車１１に設けられたスラスト受け３をポンプ本体２１に設けられたスラスト受け２に押し付け、モータ回転子１２に固定された軸受３３をキャン２２に設けられたスラスト受け４に押し付けることにより、羽根車１１とモータ回転子１２の位置は制限され、羽根車１１がポンプ本体２１に、モータ回転子１２がキャン２２に接触することなく運転でき、ポンプ本体２１に設けられたスラスト受け２とキャン２２に設けられたスラスト受け４の間の距離の調整や、羽根車１１およびモータ回転子より構成される回転体の全長寸法の調整がいらなくなるため、組立が容易となり、また、羽根車１１に水通路の機能を持たせたことで小型化が可能となる。
【００３９】
前記のばねの作用により、熱膨張および熱収縮の影響でポンプ本体２１に設けられたスラスト受け２とキャン２２に設けられたスラスト受け４の間の距離が変化しても問題なく運転できる。
【００４０】
上述のばねの作用により、羽根車１１に設けられたスラスト受け３とポンプ本体に設けられたスラスト受け２とが摺動し、キャン２２に設けられたスラスト受け４とモータ回転子１２に固定された軸受３３とが摺動しているが、摺動部は完全に液中に没しているため、摺動面は常に流体潤滑状態を保ち、摺動面の寿命を長く保つことが可能となる。
【００４１】
弱い力のばねで羽根車１１とモータ回転子１２を押し分けることができるときは、強い力のばねを使用せず弱い力のばねを使用することにより、摺動面の寿命を長く保つことが可能となる。
【００４２】
また、羽根車１１に設けられたスラスト受け３とポンプ本体に設けられたスラスト受け２の構造を潤滑溝を設けていない又はスラスト受けがない時の隙間より浅い潤滑溝を設けた構造にすることにより摺動面からの漏れ量はより小さくなり、効率の向上が達成され、消費電力の低減につながる。
【００４３】
図２は、図１の実施の形態１を基本とし、ポンプ本体２１にスラスト受け５を設け、羽根車１１にスラスト受け６を設けたことを特徴とする渦流キャンドモータポンプの側面の断面図である。
【００４４】
ポンプ本体２１に設けられたスラスト受け２とスラスト受け５の段差と、羽根車１１に設けられたスラスト受け３とスラスト受け６の段差は、ほぼ同じになるように管理されている。
【００４５】
次に、図２に示された実施の形態２の特徴は、ポンプ本体２１にスラスト受け５を設け、羽根車１１にスラスト受け６を設けたことであり、図１の実施の形態１の作用と異なる部分は、これらのスラスト受けの作用であるため、これらのスラスト受けの作用に絞って以下に説明する。
【００４６】
ポンプ本体２１にスラスト受け５を設け、羽根車１１にスラスト受け６を設けたことにより、最接近部Ａの隙間を図１より少なくすることが可能となるため、図１の実施の形態１よりＡ部からの漏れを少なくすることが可能となり、効率の向上が達成され、消費電力の低減につながる。
【００４７】
また、ポンプ本体２１と羽根車１１の熱膨張係数の違いにより、ポンプ本体２１に設けられたスラスト受け２とスラスト受け５の段差と、羽根車１１に設けられたスラスト受け３とスラスト受け６の段差に違いが生じても常にどちらかのスラスト受けが摺動するため、図１の実施の形態１よりも広い温度範囲の使用が可能となる。
【００４８】
また、羽根車１１に設けられたスラスト受け６とポンプ本体に設けられたスラスト受け５の構造を潤滑溝を設けていない又はスラスト受けがない時の隙間より浅い潤滑溝を設けた構造にすることにより摺動面からの漏れ量はより小さくなり、効率の向上が達成され、消費電力の低減につながる。
【００４９】
図１の実施の形態１と、図２の実施の形態２のどちらを選択するかは、用途とコストにより決定されるべきであり、図２の実施の形態２は、図１の実施の形態１より広い温度範囲で安定して使用でき、内部の漏れ量も少ないが、ポンプ本体２１と羽根車１１のスラスト受けがそれぞれ２箇所となるため、コスト高となることを念頭に置き決定することが望ましい。
【００５０】
図３は、本発明のポンプを具現化した羽根車とモータ回転子を一体として形成されたことを特徴とする渦流キャンドモータポンプの側面の断面図である。
【００５１】
ポンプ本体２１とキャン２２で軸３１を固定し、軸３１の周囲を羽根車とモータ回転子が一体として形成された回転体１３（以下、回転体１３と呼ぶ）に設けられた軸受３２と軸受３３が回転し、この回転体１３と軸受３３の間にばね１が圧縮された状態で設置され回転体１３と軸受３３を押し分け、回転体１３に設けられたスラスト受け３とポンプ本体に設けられたスラスト受け２とが摺動し、キャン２２に設けられたスラスト受け４と回転体１３に設けられた軸受３３とが摺動する。
【００５２】
回転体１３には、水通路の機能を持たせてある。
【００５３】
実施の形態１と同様に、水通路は、ポンプ本体２１と水通路の機能を持たせた回転体１３の２点の部品で形成される。
【００５４】
回転体１３に設けられたスラスト受け３とポンプ本体に設けられたスラスト受け２とが摺動しても回転体１３とポンプ本体２１の最接近部Ａは、接触しないようにポンプ本体２１の段差寸法と羽根車１１の段差寸法を管理し、また、回転体１３の外周部Ｂは、最適な隙間に管理し、Ａ部及びＢ部でマウスリングの機能を持たせ、内部漏れを最小限に押える。
【００５５】
実施の形態１との差異は、実施の形態３では、羽根車とモータ回転子を一体として形成した回転体１３を有することと、推力であるばね１の位置を回転体１３と軸受３３の間に設けたことである。
【００５６】
次に、図３に示された実施の形態３の作用を説明する。
【００５７】
実施の形態１と同様に、ばね１の作用により回転体１３と軸受３３を押し分けるため、ポンプ本体２１に設けられたスラスト受け２とキャン２２に設けられたスラスト受け４の間の距離が大きくても小さくてもばね１が伸縮し、回転体１３に設けられたスラスト受け３をポンプ本体２１に設けられたスラスト受け２に押し付け、軸受３３をキャン２２に設けられたスラスト受け４に押し付けることにより、回転体１３と軸受３３の位置は制限され、回転体１３がポンプ本体２１及びキャン２２に接触することなく運転でき、ポンプ本体２１に設けられたスラスト受け２とキャン２２に設けられたスラスト受け４の間の距離の調整や、回転体１３の全長寸法の調整がいらなくなるため、組立が容易となる。
【００５８】
前記のばねの作用により、熱膨張および熱収縮の影響でポンプ本体２１に設けられたスラスト受け２とキャン２２に設けられたスラスト受け４の間の距離が変化しても問題なく運転できる。
【００５９】
上述のばねの作用により、回転体１３に設けられたスラスト受け３とポンプ本体に設けられたスラスト受け２とが摺動し、キャン２２に設けられたスラスト受け４と軸受３３とが摺動しているが、摺動部は完全に液中に没しているため、摺動面は常に流体潤滑状態を保ち、摺動面の寿命を長く保つことが可能となる。
【００６０】
弱い力のばねで回転体１３と軸受３３を押し分けることができるときは、強い力のばねを使用せず弱い力のばねを使用することにより、摺動面の寿命を長く保つことが可能となる。
【００６１】
また、回転体１３に設けられたスラスト受け３とポンプ本体に設けられたスラスト受け２の構造を潤滑溝を設けていない又はスラスト受けがない時の隙間より浅い潤滑溝を設けた構造にすることにより摺動面からの漏れ量はより小さくなり、効率の向上が達成され、消費電力の低減につながる。
【図面の簡単な説明】
【００６２】
【図１】本発明の実施の形態１におけるポンプの側面の断面図
【図２】本発明の実施の形態２におけるポンプの側面の断面図
【図３】本発明の実施の形態３におけるポンプの側面の断面図
【図４】本発明の実施の形態１におけるポンプの羽根車部周辺の側面の断面図
【図５】本発明前の実施の形態におけるポンプの側面の断面図
【図６】本発明前の実施の形態におけるポンプの羽根車部周辺の側面の断面図
【図７】本発明前の実施の形態におけるポンプの回転体の側面の断面図
【符号の説明】
【００６３】
１    ばね
２    スラスト受け
３    スラスト受け
４    スラスト受け
５    スラスト受け
６    スラスト受け
１１  羽根車
１２  モータ回転子
１３  羽根車はモータ回転子が一体として形成された回転体
２１  ポンプ本体
２２  キャン
２３  仕切板
３１  軸
３２  軸受
３３  軸受
４１  ピン
【図１】
2007262997.tif 000003
【図２】
2007262997.tif 000004
【図３】
2007262997.tif 000005
【図４】
2007262997.tif 000006
【図５】
2007262997.tif 000007
【図６】
2007262997.tif 000008
【図７】
2007262997.tif 000009